(57)【要約】【課題】送風機において、モータを収容するロータ内への塵埃侵入の防止、ならびにロータ内からの塵埃排出を可能とし、モータロックを従来よりも効果的に防止する。【解決手段】モータ３５が収容されているロータ２０の開口２１および回路基板４０をカバー５０Ａによって覆い、ロータ２０内への塵埃の侵入をカバー５０Ａで防ぐ。ロータ２０と一体に回転するカバー５０Ａに形成したフィン（気流発生手段）５４により気流を発生させてロータ２０内への塵埃の侵入を抑えるとともに、ロータ２０内の塵埃をロータ２０の外部に排出させる。【選択図】図１
2013050037.tif 000002
【特許請求の範囲】
【請求項１】
外周部に羽根を有するとともに軸方向の一端側に開口を有し、開口側に配置された支持部材に回転軸を介して回転自在に支持されるロータと、
該ロータの内周面に配置されるロータマグネットと、
前記ロータの内部に前記ロータマグネットに対向する状態に配置されて前記支持部材に固定され、ロータマグネットと協働してロータを回転駆動するステータと、
前記ステータの軸方向の一端側に配置されて前記支持部材に固定され、前記ロータの回転駆動を制御する回路基板と、
前記回路基板および前記ロータの開口を覆って配置されてロータに固定され、ロータの回転に伴って気流を発生させる気流発生手段を有するカバーと、
を備えることを特徴とする送風機。
【請求項２】
前記気流発生手段は、前記カバーの下面に形成されていることを特徴とする請求項１に記載の送風機。
【請求項３】
前記気流発生手段は、前記カバーの回転中心側から外周縁側に向かって形成されたフィンであることを特徴とする請求項２に記載の送風機。
【請求項４】
前記気流発生手段は、前記カバーの回転中心側から外周縁側に向かって形成された貫通孔とフィンとからなることを特徴とする請求項２に記載の送風機。
【請求項５】
少なくとも前記フィンは、前記カバーの回転中心に対して放射状または略放射状に形成されていることを特徴とする請求項３または４に記載の送風機。
【発明の詳細な説明】
【技術分野】
【０００１】
本発明は、モータで羽根車（羽根付きロータ）を回転させて空気を圧送する送風機に関する。
【背景技術】
【０００２】
この種の送風機として、エアコン内の塵埃を外部に排出するものが知られている（特許文献１）。同文献の送風機は、外周に羽根部を有し、軸方向の一端側が開口する回転可能な略円筒状のロータと、ロータの内周に配置されるロータマグネットと、ロータ内部に配置され、ロータマグネットとの組み合わせでモータを構成するステータと、ステータの軸方向の一端側に配置され、ロータの回転駆動を制御する回路基板とを備えた構造において、回路基板を覆ってロータの開口に面して基板カバーを配置し、この基板カバーとロータの開口端との間にラビリンスシールを設けて、モータが収容されるロータ内部への塵埃の侵入を抑え、塵埃によるモータロックを防止するものとしている。
【先行技術文献】
【特許文献】
【０００３】
【特許文献１】特開２００８−２３２０２４号公報
【発明の概要】
【発明が解決しようとする課題】
【０００４】
しかしながらラビリンスシールであっても微小な隙間は存在するため、微細な塵埃がロータ内部に侵入する可能性があり、また、一旦塵埃がロータ内部に侵入すると、それは排出されにくく、長期にわたってモータロックを防止する上では不十分な構造である。
【０００５】
本発明は上記事情に鑑みてなされたものであり、その主たる目的は、モータが収容されるロータ内部への塵埃の侵入を十分に防ぐことができるとともにロータ内部からの塵埃の排出を可能として、モータロックを従来よりも効果的に防止することができる送風機を提供することにある。
【課題を解決するための手段】
【０００６】
本発明の送風機は、外周部に羽根を有するとともに軸方向の一端側に開口を有し、開口側に配置された支持部材に回転軸を介して回転自在に支持されるロータと、該ロータの内周面に配置されるロータマグネットと、前記ロータの内部に前記ロータマグネットに対向する状態に配置されて前記支持部材に固定され、ロータマグネットと協働してロータを回転駆動するステータと、前記ステータの軸方向の一端側に配置されて前記支持部材に固定され、前記ロータの回転駆動を制御する回路基板と、前記回路基板および前記ロータの開口を覆って配置されてロータに固定され、ロータの回転に伴って気流を発生させる気流発生手段を有するカバーとを備えることを特徴とする。
【０００７】
本発明によれば、回路基板とともにロータの開口を覆って配置されてロータに固定されるカバーによって、モータが収容されるロータ内部への塵埃の侵入を十分に防ぐことができる。また、カバーはロータとともに回転して気流発生手段により気流が発生し、その気流がロータ内部の空気をロータ外部に排出させる構成とすることにより、ロータ内部からの塵埃の排出を可能とする。これらの結果、モータロックを従来よりも効果的に防止することができる。
【０００８】
本発明の気流発生手段は、前記カバーの下面に形成されている形態が挙げられる。また、気流発生手段の具体的形態としては、前記カバーの回転中心側から外周縁側に向かって形成されたフィン、または、前記カバーの回転中心側から外周縁側に向かって形成された貫通孔とフィンとからなることを含む。
【０００９】
さらに、少なくとも前記フィンは、前記カバーの回転中心に対して放射状または略放射状に形成されている形態が挙げられる。
【発明の効果】
【００１０】
本発明によれば、モータが収容されるロータ内部への塵埃の侵入を十分に防ぐことができるとともにロータ内部からの塵埃の排出が可能であり、その結果、モータロックを従来よりも効果的に防止することができる送風機が提供されるといった効果を奏する。
【図面の簡単な説明】
【００１１】
【図１】本発明の一実施形態に係る送風機を示す断面図である。
【図２】一実施形態の送風機が備えるカバーを下から見た状態の斜視図である。
【図３】一実施形態の送風機の一部断面図である。
【図４】一実施形態の送風機のカバーを換えた変更例の一部断面図である。
【図５】一実施形態の送風機のカバーを換えた他の変更例の一部断面図である。
【図６】図５で示したカバーを上から見た状態の斜視図である。
【図７】図５で示したカバーの気流発生手段を換えた変更例の一部断面図である。
【発明を実施するための形態】
【００１２】
以下、本発明の一実施形態を図面を参照して説明する。
図１は、一実施形態に係る送風機１がケース１００によって形成された送風経路１０１内に設置された状態を示している。図１で符号１０は軸方向が図中上下方向に沿って配置された軸受支持部である。軸受支持部１０は、円筒部１１の下端にフランジ部１２が形成されたもので、フランジ部１２がケース１００の底部に固定されている。円筒部１１には上方から挿入された回転軸１５が上下のベアリング１６を介して回転自在に支持されており、この回転軸１５の上端には、下側に開口２１を有する円筒状のロータ２０が同心状に固定されている。
【００１３】
ロータ２０は、円筒状のロータカップ２２と、ロータカップ２２の内面に固着されたロータホルダ２３とから構成される。ロータホルダ２３の内周面には、ロータマグネット２５が固着されている。ロータ２０は、ロータホルダ２３の中心に形成されたボス部２３ａが回転軸１５の上端に嵌合して固定されることにより、回転軸１５と一体回転する。ロータカップ２２の外周部には羽根２９が形成されている。
【００１４】
ロータ２０の内部であって軸受支持部１０の円筒部１１の外周面には、ステータ３０が、ロータマグネット２５と隙間をおいて対向する状態に配置されて固定されている。ステータ３０とロータマグネット２５との組み合わせにより、ロータ２０を回転駆動するモータ３５が構成される。また、ステータ３０の下側には、ロータ２０の回転駆動を制御する回路基板４０が配置されている。回路基板４０はロータ２０の開口２１に面して配置され、ステータ３０を介して軸受支持部１０に固定されている。
【００１５】
ロータ２０のロータカップ２２における下側の開口縁２２ａには、回路基板４０とともにロータ２０の開口２１を覆う円板部５１を有するカバー５０Ａが固定されている。カバー５０Ａは、図２に示すように、円板部５１の周縁から上方に立ち上がる周壁部５２を有し、その周壁部５２の周縁に形成されたフランジ部５３が、ロータカップ２２に固定されている。
【００１６】
カバー５０Ａはロータ２０と一体に図２の矢印Ｄ方向に回転し、その回転中心である円板部５１の中心には、軸受支持部１０の円筒部１１が貫通する円形状の孔５１ａが形成されている。孔５１ａの周囲の円板部５１の下面には、カバー５０Ａの回転中心側から外周縁側に向かって略放射状に延びる複数のフィン（気流発生手段）５４が形成されている。これらフィン５４は、一周方向（矢印Ａで示す）に湾曲するように形成され、等間隔をおいて配列されている。なお、フィン５４を湾曲させずに直線的に形成して放射状に配置することも可能である。
【００１７】
以上が本実施形態の送風機１の構成であり、この送風機１では、回路基板４０を介してステータ３０に電圧が印可されるとモータ３５が作動状態となってロータ２０が回転駆動され、ロータ２０と一体に回転する羽根２９の作用により、図１に示すように送風経路１０１を例えば矢印Ｂ方向の空気の流れが発生して空気がその方向に圧送される。
【００１８】
矢印Ｂの気流は羽根２９の作用による主流経路であり、送風機１を通過する空気の中には、送風機１の下方に流入してカバー５０Ａの下方を通過する矢印Ｃで示す副流経路を通るものもある。この副流経路を流れる空気に塵埃が混じっていると、モータ３５が収容されるロータ２０の内部にその塵埃が侵入してモータロックを招くというのが本発明の課題であった。しかしながら本実施形態によれば、カバー５０Ａによってロータ２０内に塵埃が侵入することが防がれる。
【００１９】
また、カバー５０Ａはロータカップ２２とともに回転するが、回転中においてカバー５０Ａは図２の矢印Ｄ方向に回転するようになされており、このカバー５０Ａの回転により、カバー５０Ａの下方および周囲には、外周方向に放射方向に放散する気流（図１：矢印Ｅで示す）が発生する。このため、カバー５０Ａの孔５１ａにより軸受支持部１０との間に隙間があっても、その隙間から塵埃はカバー５０Ａ内に侵入しにくく、また、その隙間からロータ２０の外部に排出する気流が生じる（図３：矢印Ｆで示す）。このため、ロータ２５の外部に塵埃を排出させることができる。これらの結果、モータロックを従来よりも効果的に防止することができる。
【００２０】
次に、図４〜図７により、上記カバー５０Ａを変更した変更例を説明する。いずれの図も上記実施形態と同一の構成要素には同一の符号を付してある。
【００２１】
図４に示すカバー５０Ｂは周壁部５２を有さない円板部のみの平板状であり、周縁の上面が、下方に延長されたロータカップ２２の開口縁２２ｂに合わせて固定されている。このカバー５０Ｂの下面には上記フィン５４が形成されており、カバー５０Ａと同様の作用効果を奏する。
【００２２】
次に、図５のカバー５０Ｃにおいては、図６に示すように、外形は上記カバー５０Ａに近似しているが、円板部５１に径方向に長い長方形状の貫通孔５５が周方向に等間隔をおいて放射状に形成されているとともに、円板部５１の内面（上面）における貫通孔５５の長手方向の一方の縁に沿って、貫通孔５５の上方に向かい傾斜して延びるフィン５６が形成されている。したがって、フィン５６も放射状に配置され、カバー５０Ｃをロータカップ２２に取り付けたとき、フィン５６はロータ２０の内側に突出した状態になる。貫通孔５５およびフィン５６は、例えば円板部５１に貫通孔５５に対応するスリットを形成し、フィン５６部分を折り曲げ加工するといった手法で形成することができる。
【００２３】
この変更例では、図６に示す矢印Ｇ方向にカバー５０Ｃが回転するようにロータ２０は回転駆動される。カバー５０Ｃが矢印Ｇ方向に回転すると、カバー５０Ｃ内の空気が図５の矢印Ｆのようにカバー５０Ｃの外部に排出される気流がロータ２０の内側に延びたフィン５６によって発生し、これによってロータ２０内への塵埃の侵入が防がれるとともに、ロータ２０内から塵埃が排出される。
【００２４】
図７に示すカバー５０Ｄは、上記カバー５０Ｃの変更例である。カバー５０Ｄは周壁部５２を有さない平板状であり、周縁の上面が、上記カバー５０Ｂと同様に、下方に延長されたロータカップ２２の開口縁２２ｂに合わせて固定されている。このカバー５０Ｄには上記カバー５０Ｃと同様に貫通孔５５およびフィン５６が形成されており、カバー５０Ｃと同様の作用効果を奏する。
【符号の説明】
【００２５】
１…送風機
１０…軸受支持部（支持部材）
１５…回転軸
２１…ロータの開口
２２…ロータカップ
２５…ロータマグネット
２９…羽根
３０…ステータ
３５…モータ
４０…回路基板
５０…カバー
５４，５６…フィン（気流発生手段）
５５…貫通孔（気流発生手段）
【図１】
2013050037.tif 000003
【図２】
2013050037.tif 000004
【図３】
2013050037.tif 000005
【図４】
2013050037.tif 000006
【図５】
2013050037.tif 000007
【図６】
2013050037.tif 000008
【図７】
2013050037.tif 000009